(57)【要約】【課題】ＵＥのＥ-ＵＴＲＡＮのセルからＵＴＲＡＮのセルに対するハンドオーバ処理における無駄な「Ｄｏｗｎｌｉｎｋ  Ｄａｔａ  Ｎｏｔｉｆｉｃａｔｉｏｎ」及び「Ｐａｇｉｎｇ」の送信を回避する。【解決手段】本発明に係る移動通信方法は、ＭＭＥが、「Ｉｎｔｅｒ-ＲＡＴ  ｒｅｄｉｒｅｃｔｉｏｎ」を含む「ＵＥ  Ｃｏｎｔｅｘｔ  Ｒｅｌｅａｓｅ  Ｒｅｑｕｅｓｔ」を受信した場合、Ｓ-ＧＷに対して「Ｉｎｔｅｒ-ＲＡＴ  ｒｅｄｉｒｅｃｔｉｏｎ」を含む「Ｒｅｌｅａｓｅ  Ａｃｃｅｓｓ  Ｂｅａｒｅｒ  Ｒｅｑｕｅｓｔ」を送信する工程と、Ｓ-ＧＷが、かかる「Ｒｅｌｅａｓｅ  Ａｃｃｅｓｓ  Ｂｅａｒｅｒ  Ｒｅｑｕｅｓｔ」を受信した後、ＵＥ宛てのユーザデータを受信した場合には、ＭＭＥに対して「Ｄｏｗｎｌｉｎｋ  Ｄａｔａ  Ｎｏｔｉｆｉｃａｔｉｏｎ」を送信しない工程とを有する。【選択図】図４
2013081041.tif 000002
【特許請求の範囲】
【請求項１】
第１通信方式の無線アクセスネットワーク装置が、移動局の第２通信方式のセルに対するハンドオーバを行うことを決定した場合、該第１通信方式のコアネットワーク装置に対して、その旨を示す第１変更情報を含むコンテキスト開放要求信号を送信する工程と、
前記第１通信方式のコアネットワーク装置が、前記コンテキスト開放要求信号を受信した場合、サービングゲートウェイ装置に対して、前記移動局の前記第２通信方式のセルに対するハンドオーバを行うことを決定した旨を示す第２変更情報を含むアクセスベアラ開放要求信号を送信する工程と、
前記サービングゲートウェイ装置が、前記アクセスベアラ開放要求信号を受信した後、前記移動局宛てのユーザデータを受信した場合には、前記第１通信方式のコアネットワーク装置に対して、その旨を示す下りデータ通知信号を送信しない工程とを有することを特徴とする移動通信方法。
【請求項２】
第１通信方式のコアネットワーク装置であって、
前記第１通信方式の無線アクセスネットワーク装置から、コンテキスト開放要求信号を受信するように構成されている受信部と、
前記受信部によって受信された前記コンテキスト開放要求信号に、移動局の第２通信方式のセルに対するハンドオーバを行うことを決定した旨を示す第１変更情報が含まれている場合、サービングゲートウェイ装置に対して、該移動局の該第２通信方式のセルに対するハンドオーバを行うことを決定した旨を示す第２変更情報を含むアクセスベアラ開放要求信号を送信するように構成されている送信部とを具備することを特徴とするコアネットワーク装置。
【請求項３】
第１通信方式のコアネットワーク装置から、アクセスベアラ開放要求信号を受信するように構成されている受信部と、
前記受信部によって受信された前記アクセスベアラ開放要求信号に、移動局の第２通信方式のセルに対するハンドオーバを行うことを決定した旨を示す第２変更情報が含まれていた場合には、該移動局宛てのユーザデータを受信した場合であっても、前記第１通信方式のコアネットワーク装置に対して、該移動局宛てのユーザデータを受信した旨を示す下りデータ通知信号を送信しないように構成されている送信部とを具備することを特徴とするサービングゲートウェイ装置。
【発明の詳細な説明】
【技術分野】
【０００１】
本発明は、移動通信方法、コアネットワーク装置及びサービングゲートウェイ装置に関する。
【背景技術】
【０００２】
図５に、ＬＴＥ（Ｌｏｎｇ  Ｔｅｒｍ  Ｅｖｏｌｕｔｉｏｎ）方式の移動通信システムにおいて、ＵＥ（Ｕｓｅｒ  Ｅｑｕｉｐｍｅｎｔ、移動局）のＥ-ＵＴＲＡＮ（Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のセルからＵＴＲＡＮ（Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）のセルに対するハンドオーバが行われる場合の動作について示す。
【０００３】
図５に示すように、ステップＳ２００１において、ＵＥは、ｅＮＢ（無線基地局）に対して、「（ＲＲＣ）Ｍｅａｓｕｒｅｍｅｎｔ  Ｒｅｐｏｒｔ（測定報告）」を送信する。
【０００４】
ステップＳ２００２において、ｅＮＢは、受信した「（ＲＲＣ）Ｍｅａｓｕｒｅｍｅｎｔ  Ｒｅｐｏｒｔ」に基づいて、ＵＥのＵＴＲＡＮのセルに対するハンドオーバを行うことを決定すると、ＭＭＥ（Ｍｏｂｉｌｉｔｙ  Ｍａｎａｇｅｍｅｎｔ  Ｅｎｔｉｔｙ、移動管理ノード）に対して、「（Ｓ１-ＡＰ）ＵＥ  Ｃｏｎｔｅｘｔ  Ｒｅｌｅａｓｅ  Ｒｅｑｕｅｓｔ」を送信する。
【０００５】
ステップＳ２００３において、ＭＭＥは、Ｓ-ＧＷ（Ｓｅｒｖｉｎｇ  Ｇａｔｅｗａｙ）に対して、「（ＧＴＰｖ２）Ｒｅｌｅａｓｅ  Ａｃｃｅｓｓ  Ｂｅａｒｅｒ  Ｒｅｑｕｅｓｔ」を送信する。
【０００６】
ステップＳ２００４において、Ｓ-ＧＷは、ＭＭＥに対して、「（ＧＴＰｖ２）Ｒｅｌｅａｓｅ  Ａｃｃｅｓｓ  Ｂｅａｒｅｒ  Ｒｅｓｐｏｎｓｅ」を送信する。
【０００７】
その結果、ステップＳ２００５において、ＵＥにおけるＥ-ＵＴＲＡＮからＵＴＲＡＮへの切り替えが行われ、ステップＳ２００６において、Ｅ-ＵＴＲＡＮ内のＵＥ用のＳ１コネクションが開放される。
【先行技術文献】
【非特許文献】
【０００８】
【非特許文献１】３ＧＰＰ  ＴＳ２９.２７４
【発明の概要】
【発明が解決しようとする課題】
【０００９】
その後、図５に示すように、Ｓ-ＧＷは、ステップＳ２００７において、ＵＥ宛てのユーザデータ＃１を受信すると、ステップＳ２００８において、ＭＭＥに対して、「Ｄｏｗｎｌｉｎｋ  Ｄａｔａ  Ｎｏｔｉｆｉｃａｔｉｏｎ」を送信し、ステップＳ２００９において、ＭＭＥは、ＵＥに対して、「Ｐａｇｉｎｇ（ページング信号）」を送信する。
【００１０】
しかしながら、ＵＥは、既にＵＴＲＡＮのセルへの切り替えを完了しているので、かかる「Ｐａｇｉｎｇ」は、ＵＥに到達しない。
【００１１】
その後、ＭＭＥは、ステップＳ２０１０において、タイマＴ３４１３の満了を検出し、ステップＳ２０１１において、Ｓ-ＧＷに対して、「（ＧＴＰｖ２）Ｄｏｗｎｌｉｎｋ  Ｄａｔａ  Ｎｏｔｉｆｉｃａｔｉｏｎ  Ｆａｉｌｕｒｅ  Ｉｎｄｉｃａｔｉｏｎ」を送信する。
【００１２】
そこで、本発明は、上述の課題に鑑みてなされたものであり、ＵＥのＥ-ＵＴＲＡＮのセルからＵＴＲＡＮのセルに対するハンドオーバ処理における無駄な「Ｄｏｗｎｌｉｎｋ  Ｄａｔａ  Ｎｏｔｉｆｉｃａｔｉｏｎ」及び「Ｐａｇｉｎｇ」の送信を回避することができる移動通信方法、コアネットワーク装置及びサービングゲートウェイ装置を提供することを目的とする。
【課題を解決するための手段】
【００１３】
本発明の第１の特徴は、移動通信方法であって、第１通信方式の無線アクセスネットワーク装置が、移動局の第２通信方式のセルに対するハンドオーバを行うことを決定した場合、該第１通信方式のコアネットワーク装置に対して、その旨を示す第１変更情報を含むコンテキスト開放要求信号を送信する工程と、  前記第１通信方式のコアネットワーク装置が、前記コンテキスト開放要求信号を受信した場合、サービングゲートウェイ装置に対して、前記移動局の前記第２通信方式のセルに対するハンドオーバを行うことを決定した旨を示す第２変更情報を含むアクセスベアラ開放要求信号を送信する工程と、前記サービングゲートウェイ装置が、前記アクセスベアラ開放要求信号を受信した後、前記移動局宛てのユーザデータを受信した場合には、前記第１通信方式のコアネットワーク装置に対して、その旨を示す下りデータ通知信号を送信しない工程とを有することを要旨とする。
【００１４】
本発明の第２の特徴は、第１通信方式のコアネットワーク装置であって、前記第１通信方式の無線アクセスネットワーク装置から、コンテキスト開放要求信号を受信するように構成されている受信部と、前記受信部によって受信された前記コンテキスト開放要求信号に、移動局の第２通信方式のセルに対するハンドオーバを行うことを決定した旨を示す第１変更情報が含まれている場合、サービングゲートウェイ装置に対して、該移動局の該第２通信方式のセルに対するハンドオーバを行うことを決定した旨を示す第２変更情報を含むアクセスベアラ開放要求信号を送信するように構成されている送信部とを具備することを要旨とする。
【００１５】
本発明の第３の特徴は、サービングゲートウェイ装置であって、第１通信方式のコアネットワーク装置から、アクセスベアラ開放要求信号を受信するように構成されている受信部と、前記受信部によって受信された前記アクセスベアラ開放要求信号に、移動局の第２通信方式のセルに対するハンドオーバを行うことを決定した旨を示す第２変更情報が含まれていた場合には、該移動局宛てのユーザデータを受信した場合であっても、前記第１通信方式のコアネットワーク装置に対して、該移動局宛てのユーザデータを受信した旨を示す下りデータ通知信号を送信しないように構成されている送信部とを具備することを要旨とする。
【発明の効果】
【００１６】
以上説明したように、本発明によれば、ＵＥのＥ-ＵＴＲＡＮのセルからＵＴＲＡＮのセルに対するハンドオーバ処理における無駄な「Ｄｏｗｎｌｉｎｋ  Ｄａｔａ  Ｎｏｔｉｆｉｃａｔｉｏｎ」及び「Ｐａｇｉｎｇ」の送信を回避することができる移動通信方法、コアネットワーク装置及びサービングゲートウェイ装置を提供することができる。
【図面の簡単な説明】
【００１７】
【図１】本発明の第１の実施形態に係る移動通信システムの全体構成図である。
【図２】本発明の第１の実施形態に係るＭＭＥの機能ブロック図である。
【図３】本発明の第１の実施形態に係るＳ-ＧＷの機能ブロック図である。
【図４】本発明の第１の実施形態に係る移動通信システムの動作を示すシーケンス図である。
【図５】従来の移動通信システムの動作を示すシーケンス図である。
【発明を実施するための形態】
【００１８】
（本発明の第１の実施形態に係る移動通信システム）
図１乃至図４を参照して、本発明の第１の実施形態に係る移動通信システムについて説明する。本実施形態では、本実施形態に係る移動通信システムとして、ＬＴＥ方式の移動通信システムを例示して説明するが、本発明は、ＬＴＥ方式以外の移動通信システムにも適用可能である。
【００１９】
図１に示すように、本実施形態に係る移動通信システムは、Ｓ-ＧＷと、ＭＭＥと、Ｅ-ＵＴＲＡＮ内のｅＮＢと、ＭＳＣ（Ｍｏｂｉｌｅ  Ｓｗｉｔｃｈｉｎｇ  Ｃｅｎｔｅｒ、回線交換機）/ＳＧＳＮ（Ｓｅｒｖｉｎｇ  ＧＰＲＳ  Ｓｕｐｐｏｒｔ  Ｎｏｄｅ、パケット交換機）と、ＵＴＲＡＮ内のＲＮＣ（Ｒａｄｉｏ  Ｎｅｔｗｏｒｋ  Ｃｏｎｔｒｏｌｌｅｒ）及びＮｏｄｅＢ（無線基地局）とを具備している。
【００２０】
図２に示すように、ＭＭＥは、受信部１１と、判定部１２と、送信部１３とを具備している。
【００２１】
受信部１１は、ｅＮＢやＳ-ＧＷから各種信号を受信するように構成されている。
【００２２】
例えば、受信部１１は、ｅＮＢから「（Ｓ１-ＡＰ）ＵＥ  Ｃｏｎｔｅｘｔ  Ｒｅｌｅａｓｅ  Ｒｅｑｕｅｓｔ」を受信したり、ＭＭＥから「（ＧＴＰｖ２）Ｒｅｌｅａｓｅ  Ａｃｃｅｓｓ  Ｂｅａｒｅｒ  Ｒｅｓｐｏｎｓｅ」を受信したりするように構成されている。
【００２３】
判定部１２は、受信部１１によって受信された「（Ｓ１-ＡＰ）ＵＥ  Ｃｏｎｔｅｘｔ  Ｒｅｌｅａｓｅ  Ｒｅｑｕｅｓｔ」に「Ｉｎｔｅｒ-ＲＡＴ  ｒｅｄｉｒｅｃｔｉｏｎ」が含まれているか否かについて判定するように構成されている。
【００２４】
送信部１３は、判定部１２によって「（Ｓ１-ＡＰ）ＵＥ  Ｃｏｎｔｅｘｔ  Ｒｅｌｅａｓｅ  Ｒｅｑｕｅｓｔ」に「Ｉｎｔｅｒ-ＲＡＴ  ｒｅｄｉｒｅｃｔｉｏｎ」が含まれていると判定された場合に、Ｓ-ＧＷに対して、「Ｉｎｔｅｒ-ＲＡＴ  ｒｅｄｉｒｅｃｔｉｏｎ」を含む「（ＧＴＰｖ２）Ｒｅｌｅａｓｅ  Ａｃｃｅｓｓ  Ｂｅａｒｅｒ  Ｒｅｑｕｅｓｔ」を送信するように構成されている。
【００２５】
図３に示すように、Ｓ-ＧＷは、受信部２１と、判定部１２と、記憶部１３と、送信部１４とを具備している。
【００２６】
受信部２１は、ＭＭＥや外部ネットワークＮＷから各種信号を受信するように構成されている。
【００２７】
例えば、受信部２１は、ＭＭＥから「（ＧＴＰｖ２）Ｒｅｌｅａｓｅ  Ａｃｃｅｓｓ  Ｂｅａｒｅｒ  Ｒｅｑｕｅｓｔ」を受信したり、外部ネットワークＮＷからユーザデータを受信したりするように構成されている。
【００２８】
判定部２２は、受信部１１によって受信された「（ＧＴＰｖ２）Ｒｅｌｅａｓｅ  Ａｃｃｅｓｓ  Ｂｅａｒｅｒ  Ｒｅｑｕｅｓｔ」に「Ｉｎｔｅｒ-ＲＡＴ  ｒｅｄｉｒｅｃｔｉｏｎ」が含まれているか否かについて判定するように構成されている。
【００２９】
送信部２４は、ＭＭＥに対して、各種信号、例えば、「（ＧＴＰｖ２）Ｒｅｌｅａｓｅ  Ａｃｃｅｓｓ  Ｂｅａｒｅｒ  Ｒｅｓｐｏｎｓｅ」を送信するように構成されている。
【００３０】
通常は、送信部２４は、受信部２１によってＵＥ宛てのユーザデータが受信された場合には、ＭＭＥに対して、「Ｄｏｗｎｌｉｎｋ  Ｄａｔａ  Ｎｏｔｉｆｉｃａｔｉｏｎ」を送信するように構成されている。
【００３１】
しかしながら、判定部１２によって「（ＧＴＰｖ２）Ｒｅｌｅａｓｅ  Ａｃｃｅｓｓ  Ｂｅａｒｅｒ  Ｒｅｑｕｅｓｔ」に「Ｉｎｔｅｒ-ＲＡＴ  ｒｅｄｉｒｅｃｔｉｏｎ」が含まれていると判定された場合には、受信部２１によってＵＥ宛てのユーザデータが受信された場合であっても、送信部２４は、ＭＭＥに対して、「Ｄｏｗｎｌｉｎｋ  Ｄａｔａ  Ｎｏｔｉｆｉｃａｔｉｏｎ」を送信するように構成されており、記憶部２３が、かかるユーザデータをバッファリングするように構成されている。
【００３２】
なお、記憶部２３は、所定期間が経過した後、例えば、所定タイマが満了した場合に、バッファリングしたユーザデータについて削除するように構成されていてもよい。
【００３３】
以下、図４を参照して、本実施形態に係る移動通信システムにおいて、ＵＥのＥ-ＵＴＲＡＮのセルからＵＴＲＡＮのセルに対するハンドオーバが行われる場合の動作（Ｒｅｌｅａｓｅ  ｗｉｔｈ  ｒｅｄｉｒｅｃｔｉｏｎ手順）について説明する。
【００３４】
図４に示すように、ステップＳ１００１において、ＵＥは、ｅＮＢに対して、「（ＲＲＣ）Ｍｅａｓｕｒｅｍｅｎｔ  Ｒｅｐｏｒｔ」を送信する。
【００３５】
ステップＳ１００２において、ｅＮＢは、受信した「（ＲＲＣ）Ｍｅａｓｕｒｅｍｅｎｔ  Ｒｅｐｏｒｔ」に基づいて、ＵＥのＵＴＲＡＮのセルに対するハンドオーバを行うことを決定すると、ＭＭＥに対して、「Ｉｎｔｅｒ-ＲＡＴ  ｒｅｄｉｒｅｃｔｉｏｎ」を含む「（Ｓ１-ＡＰ）ＵＥ  Ｃｏｎｔｅｘｔ  Ｒｅｌｅａｓｅ  Ｒｅｑｕｅｓｔ」を送信する。
【００３６】
ステップＳ１００３において、ＭＭＥは、受信した「（Ｓ１-ＡＰ）ＵＥ  Ｃｏｎｔｅｘｔ  Ｒｅｌｅａｓｅ  Ｒｅｑｕｅｓｔ」に「Ｉｎｔｅｒ-ＲＡＴ  ｒｅｄｉｒｅｃｔｉｏｎ」が含まれていると判定した場合、Ｓ-ＧＷに対して、「Ｉｎｔｅｒ-ＲＡＴ  ｒｅｄｉｒｅｃｔｉｏｎ」を含む「（ＧＴＰｖ２）Ｒｅｌｅａｓｅ  Ａｃｃｅｓｓ  Ｂｅａｒｅｒ  Ｒｅｑｕｅｓｔ」を送信する。
【００３７】
ステップＳ１００４において、Ｓ-ＧＷは、ＭＭＥに対して、「（ＧＴＰｖ２）Ｒｅｌｅａｓｅ  Ａｃｃｅｓｓ  Ｂｅａｒｅｒ  Ｒｅｓｐｏｎｓｅ」を送信する。
【００３８】
その結果、ステップＳ１００５において、ＵＥにおけるＥ-ＵＴＲＡＮからＵＴＲＡＮへの切り替えが行われ、ステップＳ１００６において、Ｅ-ＵＴＲＡＮ内のＵＥ用のＳ１コネクションが開放される。
【００３９】
その後、ステップＳ１００７において、Ｓ-ＧＷは、ＵＥ宛てのユーザデータ＃１を受信した場合、ステップＳ１００３において受信した「（ＧＴＰｖ２）Ｒｅｌｅａｓｅ  Ａｃｃｅｓｓ  Ｂｅａｒｅｒ  Ｒｅｑｕｅｓｔ」に「Ｉｎｔｅｒ-ＲＡＴ  ｒｅｄｉｒｅｃｔｉｏｎ」が含まれていたため、ＭＭＥに対して、「Ｄｏｗｎｌｉｎｋ  Ｄａｔａ  Ｎｏｔｉｆｉｃａｔｉｏｎ」を送信することなく、かかるＵＥ宛てのユーザデータ＃１をバッファリングする。
【００４０】
本実施形態に係る移動通信システムによれば、Ｓ-ＧＷが、ＭＭＥから受信した「（ＧＴＰｖ２）Ｒｅｌｅａｓｅ  Ａｃｃｅｓｓ  Ｂｅａｒｅｒ  Ｒｅｑｕｅｓｔ」に「Ｉｎｔｅｒ-ＲＡＴ  ｒｅｄｉｒｅｃｔｉｏｎ」が含まれていると判定した場合には、ＵＥ宛てのユーザデータ＃１を受信した場合であっても、ＭＥに対して、「Ｄｏｗｎｌｉｎｋ  Ｄａｔａ  Ｎｏｔｉｆｉｃａｔｉｏｎ」を送信しないため、無駄な「Ｄｏｗｎｌｉｎｋ  Ｄａｔａ  Ｎｏｔｉｆｉｃａｔｉｏｎ」の送信を回避することができ、その結果、無駄な「Ｐａｇｉｎｇ」の送信も回避することができる。
【００４１】
以上に述べた本実施形態の特徴は、以下のように表現されていてもよい。
【００４２】
本実施形態の第１の特徴は、移動通信方法であって、ｅＮＢ（第１通信方式の無線アクセスネットワーク装置）が、ＵＥ（移動局）のＵＴＲＡＮ（第２通信方式）のセルに対するハンドオーバを行うことを決定した場合、ＭＭＥ（第１通信方式のコアネットワーク装置）に対して、その旨を示す「Ｉｎｔｅｒ-ＲＡＴ  ｒｅｄｉｒｅｃｔｉｏｎ（第１変更情報）」を含む「（Ｓ１-ＡＰ）ＵＥ  Ｃｏｎｔｅｘｔ  Ｒｅｌｅａｓｅ  Ｒｅｑｕｅｓｔ（コンテキスト開放要求信号）」を送信する工程と、ＭＭＥが、「Ｉｎｔｅｒ-ＲＡＴ  ｒｅｄｉｒｅｃｔｉｏｎ」を含む「（Ｓ１-ＡＰ）ＵＥ  Ｃｏｎｔｅｘｔ  Ｒｅｌｅａｓｅ  Ｒｅｑｕｅｓｔ」を受信した場合、Ｓ-ＧＷ（サービングゲートウェイ装置）に対して、「Ｉｎｔｅｒ-ＲＡＴ  ｒｅｄｉｒｅｃｔｉｏｎ（第２変更情報）」を含む「（ＧＴＰｖ２）Ｒｅｌｅａｓｅ  Ａｃｃｅｓｓ  Ｂｅａｒｅｒ  Ｒｅｑｕｅｓｔ（アクセスベアラ開放要求信号）」を送信する工程と、Ｓ-ＧＷが、「Ｉｎｔｅｒ-ＲＡＴ  ｒｅｄｉｒｅｃｔｉｏｎ」を含む「（ＧＴＰｖ２）Ｒｅｌｅａｓｅ  Ａｃｃｅｓｓ  Ｂｅａｒｅｒ  Ｒｅｑｕｅｓｔ」を受信した後、ＵＥ宛てのユーザデータを受信した場合には、ＭＭＥに対して、その旨を示す「Ｄｏｗｎｌｉｎｋ  Ｄａｔａ  Ｎｏｔｉｆｉｃａｔｉｏｎ（下りデータ通知信号）」を送信しない工程とを有することを要旨とする。
【００４３】
本実施形態の第２の特徴は、ＭＭＥであって、ｅＮＢから、「（Ｓ１-ＡＰ）ＵＥ  Ｃｏｎｔｅｘｔ  Ｒｅｌｅａｓｅ  Ｒｅｑｕｅｓｔ」を受信するように構成されている受信部１１と、受信部１１によって受信された「（Ｓ１-ＡＰ）ＵＥ  Ｃｏｎｔｅｘｔ  Ｒｅｌｅａｓｅ  Ｒｅｑｕｅｓｔ」に、「Ｉｎｔｅｒ-ＲＡＴ  ｒｅｄｉｒｅｃｔｉｏｎ」が含まれている場合、Ｓ-ＧＷに対して、「Ｉｎｔｅｒ-ＲＡＴ  ｒｅｄｉｒｅｃｔｉｏｎ」を含む「（ＧＴＰｖ２）Ｒｅｌｅａｓｅ  Ａｃｃｅｓｓ  Ｂｅａｒｅｒ  Ｒｅｑｕｅｓｔ」を送信するように構成されている送信部１３とを具備することを要旨とする。
【００４４】
本実施形態の第３の特徴は、Ｓ-ＧＷであって、ＭＭＥから、「（ＧＴＰｖ２）Ｒｅｌｅａｓｅ  Ａｃｃｅｓｓ  Ｂｅａｒｅｒ  Ｒｅｑｕｅｓｔ」を受信するように構成されている受信部２１と、受信部２１によって受信された「（ＧＴＰｖ２）Ｒｅｌｅａｓｅ  Ａｃｃｅｓｓ  Ｂｅａｒｅｒ  Ｒｅｑｕｅｓｔ」に、「Ｉｎｔｅｒ-ＲＡＴ  ｒｅｄｉｒｅｃｔｉｏｎ」が含まれていた場合には、ＵＥ宛てのユーザデータを受信した場合であっても、ＭＭＥに対して、「Ｄｏｗｎｌｉｎｋ  Ｄａｔａ  Ｎｏｔｉｆｉｃａｔｉｏｎ」を送信しないように構成されている送信部２４とを具備することを要旨とする。
【００４５】
なお、上述のＵＥやｅＮＢやＭＭＥやＳ-ＧＷやＭＳＣ/ＳＧＳＮの動作は、ハードウェアによって実施されてもよいし、プロセッサによって実行されるソフトウェアモジュールによって実施されてもよいし、両者の組み合わせによって実施されてもよい。
【００４６】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００４７】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、ＵＥやｅＮＢやＭＭＥやＳ-ＧＷやＭＳＣ/ＳＧＳＮ内に設けられていてもよい。また、かかる記憶媒体及びプロセッサは、ディスクリートコンポーネントとしてＵＥやｅＮＢやＭＭＥやＳ-ＧＷやＭＳＣ/ＳＧＳＮ内に設けられていてもよい。
【００４８】
以上、上述の実施形態を用いて本発明について詳細に説明したが、当業者にとっては、本発明が本明細書中に説明した実施形態に限定されるものではないということは明らかである。本発明は、特許請求の範囲の記載により定まる本発明の趣旨及び範囲を逸脱することなく修正及び変更態様として実施することができる。従って、本明細書の記載は、例示説明を目的とするものであり、本発明に対して何ら制限的な意味を有するものではない。
【符号の説明】
【００４９】
ＭＭＥ…移動管理ノード
ＭＳＣ/ＳＧＳＮ…交換機
Ｓ-ＧＷ…サービングゲートウェイ装置
ｅＮＢ…無線基地局
ＵＥ…移動局
１１、２１…受信部
１２、２２…判定部
１３、２４…送信部
２３…記憶部
【図１】
2013081041.tif 000003
【図２】
2013081041.tif 000004
【図３】
2013081041.tif 000005
【図４】
2013081041.tif 000006
【図５】
2013081041.tif 000007